(57)【要約】【課題】パージ手段を用いることなくレーザの導入及び導出ができるレーザ計測装置を提供する。【解決手段】レーザ走光部１１からのレーザ光１２を測定場１３に導入するレーザ導入手段１４と、導入されたレーザ光１２を測定場１３より、レーザ受光部１５側へ導出するレーザ導出手段１６とを具備してなり、前記測定場１３内が負圧であると共に、前記レーザ導入手段１４及びレーザ導出手段１６が、前記レーザ光１２を透過するレーザ光透過窓２１と、前記レーザ光透過窓２１を支持する窓枠２２と、前記窓枠２２を所定間隔の隙間２３を有して測定場１３の壁面に取付手段（ボルト２５）を用いて取付ける取付フランジ２４とを有する。【選択図】図１
2014196949.tif 000002
【特許請求の範囲】
【請求項１】
レーザ走光部からのレーザ光を測定場に導入するレーザ導入手段と、
導入された前記レーザ光を前記測定場より、レーザ受光部側へ導出するレーザ導出手段とを具備してなり、
前記測定場内が負圧であると共に、
前記レーザ導入手段及び前記レーザ導出手段が、
前記レーザ光を透過するレーザ光透過窓と、
前記レーザ光透過窓を支持する窓枠と、
前記窓枠を所定間隔の隙間を有して前記測定場の壁面に取付ける取付フランジとを有することを特徴とするレーザ計測装置。
【請求項２】
請求項１において、
前記レーザ導入手段及び前記レーザ導出手段を各々覆うと共に、一部にフィルタを有するカバーを有することを特徴とするレーザ計測装置。
【発明の詳細な説明】
【技術分野】
【０００１】
本発明は、レーザ計測装置に関するものである。
【背景技術】
【０００２】
従来、例えばボイラプラント内のガス配管内のガス濃度を計測する方法として、半導体レーザ吸収法による方法が確立され、ＪＩＳ化されている（ＪＩＳＢ７９９３：非特許文献１）。
【０００３】
この半導体レーザ吸収法によるレーザ装置では、ガス配管（主煙道）からガスの一部を分岐したガスを導入するサンプル配管に対し、レーザ装置からレーザ光を照射し、被測定ガス（例えばアンモニア）の成分・濃度等を分析している。
例えば第１の検出器では、参照光（Ｉ0）を求め、第２の検出器ではサンプル配管内の透過した光の強度（Ｉ）を求め、透過率Ｔ＝（Ｉ／Ｉ0）を求めており、この分析手法により、様々なガス成分濃度のオンライン分析が可能となってきている。
【先行技術文献】
【非特許文献】
【０００４】
【非特許文献１】ＪＩＳＢ７９９３
【発明の概要】
【発明が解決しようとする課題】
【０００５】
ところで、レーザ手段は、レーザ発振部とレーザ受光部とを用いているので、レーザ光を計測場に導入する場合、例えば石英等のレーザ導入及び導出用の石英窓を用いている。
【０００６】
また、計測対象であるボイラプラントのガス環境が煤塵等が存在して劣悪であるので、石英窓の内側から、例えば窒素ガス等を吹き付けるパージ手段が設置されている。しかしながら、このパージ手段は、煤塵が多く堆積する箇所では、大型のコンプレッサ等の設備がさらに必要となり、また計測箇所が多くなる場合には、計測に伴う副次的なコストが嵩む、という問題がある。
【０００７】
本発明は、前記問題に鑑み、パージ手段を用いることなくレーザの導入及び導出ができるレーザ計測装置を提供することを課題とする。
【課題を解決するための手段】
【０００８】
上述した課題を解決するための本発明の第１の発明は、レーザ走光部からのレーザ光を測定場に導入するレーザ導入手段と、導入された前記レーザ光を前記測定場より、レーザ受光部側へ導出するレーザ導出手段とを具備してなり、前記測定場内が負圧であると共に、前記レーザ導入手段及び前記レーザ導出手段が、前記レーザ光を透過するレーザ光透過窓と、前記レーザ光透過窓を支持する窓枠と、前記窓枠を所定間隔の隙間を有して前記測定場の壁面に取付ける取付フランジとを有することを特徴とするレーザ計測装置にある。
【０００９】
第２の発明は、第１の発明において、前記レーザ導入手段及び前記レーザ導出手段を各々覆うと共に、一部にフィルタを有するカバーを有することを特徴とするレーザ計測装置にある。
【発明の効果】
【００１０】
本発明によれば、窓枠と取付フランジとの間に隙間を設けることにより、負圧状態の測定場内に、隙間を介して外部から外気が流入する。この結果、外気が隙間を通過する流入流れを形成し、この流入流れにより、排ガスが石英窓の内面側へ流入することが妨げられ、この結果石英窓の内面汚れが発生することが解消される。
【図面の簡単な説明】
【００１１】
【図１】図１は、実施例１に係るレーザ計測装置の概略図である。
【図２】図２は、実施例２に係るレーザ計測装置の概略図である。
【発明を実施するための形態】
【００１２】
以下に添付図面を参照して、本発明の好適な実施例を詳細に説明する。なお、この実施例により本発明が限定されるものではなく、また、実施例が複数ある場合には、各実施例を組み合わせて構成するものも含むものである。
【実施例１】
【００１３】
図１は、実施例１に係るレーザ計測装置の概略図である。
図１に示すように、本実施例に係るレーザ計測装置１０Ａは、レーザ走光部１１からのレーザ光１２を測定場である煙道１３に導入するレーザ導入手段１４と、導入されたレーザ光１２を煙道１３より、レーザ受光部１５側へ導出するレーザ導出手段１６とを具備してなり、煙道１３内が負圧であると共に、レーザ導入手段１４及びレーザ導出手段１６が、レーザ光１２を透過するレーザ光透過窓である石英窓２１と、該石英窓２１を支持する窓枠２２と、窓枠２２を所定間隔の隙間２３を有して測定場である煙道１３の壁面に取付手段であるボルト２５を用いて取付ける取付フランジ２４とを有するものである。
【００１４】
窓枠２２と取付フランジ２４との間に隙間２３を設けることにより、煙道１３内部が負圧状態であるので、外気２６は外部から煙道１３内に流入する。
この結果、外気２６が隙間２３を通過する流入流れを形成する。
この流入流れにより、排ガス１９が石英窓２１の内面側へ流入することが妨げられ、この結果石英窓２１の内面汚れが発生することが解消される。
【００１５】
ここで、煙道１３内の内圧が負圧（例えば２００ｍｍＡｑ）の場合における、外気が隙間２３を通過する流速は、５〜３０ｍ／ｓ程度（好適には１０〜１５ｍ／ｓ）となる。また、計測場である煙道１３内の負圧の範囲として、５０〜５００ｍｍＡｑ程度とするのが好ましい。
【００１６】
この結果、本発明によれば、石英窓２１の窓汚れが防止される。従来は、窓汚れ防止のために、大量の窒素パージを行うために大型のコンプレッサ等を有するガスパージ手段の設置が必要であったが、この設置を省略することができ、計測コストの低減を図ることができる。
【００１７】
また、長期間に亙る計測では、パージ手段による窒素パージを行っても、微細な粉塵の付着により窓の透過率の低下があったが、本発明によれば、この透過率の低下も防止することができる。
【００１８】
ここで、外気２６の流入量の調整は、隙間２３の間隔を調整することで適宜変更することができる。
例えば隙間２３の間隔を大きくすると、外気２６の流入量が大となる。これに対し、隙間２３の間隔を小さくすると、外気２６の流入量が小となる。
特に、石英窓２１の内側の窓枠２２のコーナ部２２ａに、煤塵が堆積した場合には、隙間２３の間隔を大きくして、外気２６の流入量を大として、堆積した煤塵を除去するようにしてもよい。
【００１９】
本発明のレーザ計測装置１０Ａの設置は、例えば脱硝装置の煙道の後流側において、リークアンモニアを計測する際のレーザ計測に適用することができるが、脱硝装置のみならず、負圧環境下のガス成分のレーザ計測一般に適用することができる。
【００２０】
ここで、レーザ計測において、例えばアンモニア（ＮＨ3）濃度を計測するには、半導体レーザ（半導体素子：ＩｎＧａＡｓを例示することができる。波長：１．５μｍ、出力：１ｍＷ程度のものを例示することができる。）を用いることができる。
また、窒素酸化物（ＮＯｘ）を計測する場合には、量子カスケードレーザ（半導体素子：ＩｎＧａＡｓ／ＩｎＡｌＡｓを例示することができる。波長：５〜６μｍ、出力：１ｍＷ程度のものを例示することができる。）を用いることができる。
【００２１】
また、アンモニア以外のガス成分として、ＳＯ2（酸化硫黄）を計測する場合には、量子カスケードレーザ（波長：７．０〜７．５μｍを例示することができる。）を用いることができる。さらに、ガス成分として、メタン（ＣＨ4）を計測する場合には、半導体レーザ（半導体素子：ＩｎＧａＡｓを例示することができる。波長：１．６μｍ、出力：１ｍＷ程度のものを例示することができる。）を用いることができる。
【００２２】
また、赤外分光領域で計測しているが、本発明はこれに限定されず、可視・紫外領域での分光計測にも適用できる。
【実施例２】
【００２３】
図２は、実施例２に係るレーザ計測装置の概略図である。なお、実施例１のレーザ計測装置の構成と同一部材については、同一符号を付してその説明は省略する。
図２に示すように、本実施例に係るレーザ計測装置１０Ｂは、図１に示す実施例１のレーザ計測装置１０Ａにおいて、さらにレーザ導入手段１４と、レーザ導出手段１６とを、各々覆うと共に、一部にフィルタ３１を有するカバー３２を設置するようにしている。なお、図中、符号３３はカバー３２を固定する固定ボルトを図示する。
【００２４】
このカバー３２を設置し、カバー３２の一部に設けたフィルタ３１を介して外気２６を導入するので、外気２６の汚れを除去し、清浄な外気２６を煙道１３内に導入することができる。
【００２５】
また、複数のレーザ導入手段１４を一つのカバー３２で覆うようにしてもよい。
【符号の説明】
【００２６】
１０Ａ、１０Ｂ  レーザ計測装置
１１  レーザ走光部
１２  レーザ光
１３  煙道
１４  レーザ導入手段
１５  レーザ受光部
１６  レーザ導出手段
２１  石英窓
２２  窓枠
２３  隙間
２４  取付フランジ
【図１】
2014196949.tif 000003
【図２】
2014196949.tif 000004